(57)【要約】【課題】ランプの冷却効率を向上させたプロジェクタを提供する。【解決手段】プロジェクタ１は、ランプ７１と、ランプ７１を取り囲むように配置されたランプハウス７２と、ランプハウス７２に接続され、ランプハウス７２内に冷却風を供給する送風ダクト８１と、ランプハウス７２に接続され、ランプハウス７２内の冷却風を外部へと排出する排気ダクト８２とを備えている。ランプハウス７２内には、送風ダクト８１とランプ７１とを接続し、送風ダクト８１から供給された冷却風の一部をランプ７１に供給する第１流路７３と、送風ダクト８１と排気ダクト８２とを接続し、送風ダクト８１から供給された冷却風の他の一部を排気ダクト８２へと排出する第２流路７６とが形成されている。そして、ランプ７１は、第２流路７６に対して開口するランプ排気口７１Ｄを有している。【選択図】図４
2010217284.tif 000002
【特許請求の範囲】
【請求項１】
ランプと、
前記ランプを取り囲むように配置されたランプハウスと、
前記ランプハウスに接続され、前記ランプハウス内に冷却風を供給する送風ダクトと、
前記ランプハウスに接続され、前記ランプハウス内の冷却風を外部へと排出する排気ダクトとを備え、
前記ランプハウス内には、
前記送風ダクトと前記ランプとを接続し、前記送風ダクトから供給された冷却風の一部を前記ランプに供給する第１流路と、
前記送風ダクトと前記排気ダクトとを接続し、前記送風ダクトから供給された冷却風の他の一部を前記排気ダクトへと排出する第２流路とが形成されており、
前記ランプは、前記第２流路に対して開口するランプ排気口を有している、プロジェクタ。
【請求項２】
前記排気ダクトに接続され、前記プロジェクタの外部に開口する排気口をさらに備え、
前記排気口は、前記ランプから見て前記ランプの照射方向とは反対方向に配置されている、請求項１に記載のプロジェクタ。
【発明の詳細な説明】
【技術分野】
【０００１】
本発明はプロジェクタに関し、より特定的には、ランプの冷却効率を向上させたプロジェクタに関するものである。
【背景技術】
【０００２】
近年、プロジェクタの高性能化に伴い、プロジェクタの光源装置であるランプには高輝度化が求められている。そして、この高輝度化の要求に応えるため、ランプには、光量の大きな光源が用いられる傾向にある。このような光量の大きな光源は、発熱量が大きい場合が多く、ランプの効率的な冷却が求められる。
【０００３】
これに対し、従来のプロジェクタにおいては、吸気ブローファンなどによって冷却風を筐体内に導入し、ランプ冷却したうえで、当該冷却風を軸流ファンなどによって筐体の外部への排出するランプの冷却方法が採用されるのが一般的である（たとえば、特許文献１参照）。
【先行技術文献】
【特許文献】
【０００４】
【特許文献１】特開２００６−２２７０５２号公報
【発明の概要】
【発明が解決しようとする課題】
【０００５】
しかし、従来のプロジェクタにおいては、ランプ内（リフレクタ内）の空気を効率よく排気することに関しては考慮されていなかった。そのため、近年のランプに対する高輝度化の要求を考慮すると、上記従来の方法によるランプの冷却は必ずしも十分であるとはいえず、更なる冷却効率の向上が求められていた。また、上記特許文献１のように、２つのファンによってリフレクタ内の空気を排気する構成では、装置が大型化するとともに、排気音が大きくなるといった問題も発生する。
【０００６】
本発明は上記要求に応えるものであって、その目的は、ランプの冷却効率を向上させたプロジェクタを提供することである。
【課題を解決するための手段】
【０００７】
本発明に従ったプロジェクタは、ランプと、ランプを取り囲むように配置されたランプハウスと、ランプハウスに接続され、ランプハウス内に冷却風を供給する送風ダクトと、ランプハウスに接続され、ランプハウス内の冷却風を外部へと排出する排気ダクトとを備えている。ランプハウス内には、送風ダクトとランプとを接続し、送風ダクトから供給された冷却風の一部をランプに供給する第１流路と、送風ダクトと排気ダクトとを接続し、送風ダクトから供給された冷却風の他の一部を排気ダクトへと排出する第２流路とが形成されている。そして、ランプは、第２流路に対して開口するランプ排気口を有している。
【０００８】
本発明のプロジェクタにおいては、送風ダクトから供給された冷却風をランプに供給する第１流路とは別に、送風ダクトから供給された冷却風を排気ダクトへと排出する第２流路が設けられている。さらに、ランプは、第２流路に対して開口するランプ排気口を有している。そのため、第１流路を通ってランプ内に供給され、ランプの発熱によって加熱された冷却風が、第２流路を流れる冷却風のはたらきによって、ランプ排気口から効率よく排気ダクトへと排出される。その結果、本発明のプロジェクタによれば、ランプ内に冷却風が滞留することが抑制されるため、ランプの冷却効率を向上させたプロジェクタを提供することができる。
【０００９】
上記プロジェクタにおいて好ましくは、第２流路における冷却風の風速は、ランプ排気口における冷却風の風速よりも大きくなっている。
【００１０】
これにより、ランプの発熱によって加熱された冷却風を、一層効率よく排気ダクトへと排出することができる。
【００１１】
上記プロジェクタにおいては、ランプからプロジェクタの外部へ向かう冷却風の流路は屈曲していてもよい。
【００１２】
プロジェクタを構成する部品の配置上の制約等から、ランプからプロジェクタの外部へ向かう冷却風の流路が屈曲し、冷却風をランプから直線的に外部へと排出することができない構造が採用される場合がある。この場合、ランプの冷却が不十分となるおそれがある。このような場合、特に、ランプの冷却効率を向上させた本発明のプロジェクタの採用が好ましい。
【００１３】
上記プロジェクタにおいては、排気ダクトに接続され、プロジェクタの外部に開口する排気口をさらに備えていてもよい。この場合、当該排気口は、ランプから見てランプの照射方向とは反対方向に配置されていることが好ましい。これにより、ランプから出射された光が排気口から漏れることを抑制することができる。
【発明の効果】
【００１４】
以上の説明から明らかなように、本発明のプロジェクタによれば、ランプの冷却効率を向上させたプロジェクタを提供することができる。
【図面の簡単な説明】
【００１５】
【図１】プロジェクタの外観を示す概略斜視図である。
【図２】プロジェクタの外観を示す概略斜視図である。
【図３】プロジェクタの筐体内部の構造を示す概略図である。
【図４】ランプユニットおよびその周辺の構造を示す概略図である。
【図５】ランプユニットおよびその周辺の構造を示す概略図である。
【発明を実施するための形態】
【００１６】
以下、図面に基づいて本発明の一実施の形態を説明する。なお、以下の図面において同一または相当する部分には同一の参照番号を付し、その説明は繰返さない。
【００１７】
まず、本実施の形態におけるプロジェクタの構造の概略を説明する。図１および図２を参照して、本実施の形態におけるプロジェクタ１は、筐体２と、筐体２の一の面から突出するように配置された投射レンズ３とを備えている。筐体２には、網目状の構造を有し、筐体内に冷却風を取り込むための吸気口４と、網目状の構造を有し、筐体内から冷却風を外部へと放出するための排気口５とが形成されている。
【００１８】
図３を参照して、プロジェクタ１は、筐体２の内部に、吸気口４に対向して配置された吸気ファン６と、吸気ファン６から見て吸気口４とは反対側に配置されたヒートパイプ１３と、ヒートパイプ１３に直接、または熱伝導率の高い部材を介して接続された映像チップ１２とを備えている。さらにプロジェクタ１は、筐体２の内部に、排気口５に対向するように複数（本実施の形態の場合２つ）配置されたランプユニット７と、ランプユニット７に隣接し、複数のランプユニット７が並ぶ方向に沿った方向に延在するロッドインテグレータレンズ８と、ロッドインテグレータレンズ８の長手方向における一方の端部に対向するように配置されたコンデンサレンズ９と、コンデンサレンズ９から見てロッドインテグレータレンズ８とは反対側に配置されたリレーレンズ１０と、リレーレンズ１０から見てコンデンサレンズ９とは反対側に配置され、リレーレンズ１０を通過した光を映像チップ１２に向けて反射するミラー１１とを備えている。
【００１９】
次に、ランプユニット７およびその周辺の構造について説明する。図４および図５を参照して、本実施の形態におけるプロジェクタ１に含まれるランプユニット７は、ランプ７１と、ランプを取り囲むように配置されたランプハウス７２とを備えている。ランプ７１は、光源７１Ａと、光源７１Ａを覆うとともに開口を有することにより、光源７１Ａからの光を反射して当該開口から出射するリフレクタ７１Ｂとを含んでいる。また、リフレクタ７１Ｂの開口に面したランプハウス７２の領域には、光源７１Ａが破裂した場合の破片の飛散を防止するとともに、光源７１Ａから照射される光から紫外線を除去するＵＶガラス７２Ｃが設けられている。
【００２０】
また、ランプハウス７２には、ランプハウス７２内に冷却風を供給する送風ダクト８１と、ランプハウス７２内の冷却風を外部へと排出する排気ダクト８２とが接続されている。さらに、排気ダクト８２には、排気ファン８４を備えた排気室８３が接続されている。ランプハウス７２と排気ダクト８２とは、開口部７４を介して連通するように、図４および図５におけるＹ軸方向に隣接して配置されている。また、排気ダクト８２と排気室８３とは、ランプハウス７２と排気ダクト８２とが並ぶ方向に交差する方向（直交する方向）、すなわち図４および図５におけるＺ軸方向に隣接して配置され、開口部８５において連通している。そして、排気室８３は、排気口５を構成する開口部８６において外部と連通している。このような構成により、ランプ７１からプロジェクタ１の外部へ向かう冷却風の流路は屈曲している。また、排気口５は、排気室８３を介して排気ダクト８２に接続されている。そして、排気口５は、ランプ７１から見てランプ７１の照射方向とは反対方向に配置されている。
【００２１】
さらに、図４を参照して、ランプハウス７２内には、送風ダクト８１とランプ７１とを接続し、送風ダクト８１から供給された冷却風の一部をランプ７１に供給する第１流路７３と、送風ダクト８１と排気ダクト８２とを接続し、送風ダクト８１から供給された冷却風の他の一部を排気ダクト８２へと排出する第２流路７６とが形成されている。つまり、送風ダクト８１とランプハウス７２との接続部においては、冷却風の流路である送風ダクト８１が、ランプハウス７２内に形成される第１流路７３と第２流路７６とに分岐している。そして、ランプ７１は、第２流路７６に対して開口するランプ排気口７１Ｄを有している。
【００２２】
次に、プロジェクタ１の動作について説明する。図３を参照して、ランプユニット７から出射された光は、矢印βに沿ってロッドインテグレータレンズ８、コンデンサレンズ９およびリレーレンズ１０を通るとともに、ミラー１１によって反射されることにより、映像チップ１２に到達する。そして、映像チップ１２において生成された映像が、投射レンズ３を通してスクリーン（図示しない）などに投射される。
【００２３】
このとき、上記動作によって温度が上昇する映像チップ１２、ランプユニット７などは、以下のように冷却される。まず、吸気ファン６が回転することにより、吸気口４を通して外部の空気が筐体２の内部に冷却風として導入される。この冷却風は、矢印αに沿って進行し、ヒートパイプ１３に吹き付けられる。これにより、ヒートパイプ１３を介して映像チップ１２が冷却される。ヒートパイプ１３に吹き付けられた冷却風は、矢印αに沿ってさらに進行し、ランプユニット７内のランプ７１を冷却した後、排気口５から筐体２の外部へと排出される。
【００２４】
ここで、ランプ７１の冷却をより詳細に説明する。図４および図５を参照して、冷却風は、送風ダクト８１内を通ってランプユニット７に供給される。送風ダクト８１内を矢印αに沿って進行する冷却風は、ランプユニット７のランプハウス７２内に進入する際、第１流路７３と第２流路７６とに分岐する。第１流路７３に進入した冷却風は、矢印α１に沿って進行し、ランプ７１内に供給される。そして、当該冷却風は、光源７１Ａに吹き付けられて光源７１Ａを冷却した後、ランプ排気口７１Ｄからランプ７１の外部へと排出される。
【００２５】
一方、第２流路７６に進入した冷却風は、矢印α２に沿って進行し、排気ダクト８２へと流れる。このとき、上述のように、ランプ排気口７１Ｄは第２流路７６に対して開口している。つまり、送風ダクト８１から供給された冷却風の流路は、ランプハウス７２内において第１流路７３と第２流路７６とに分岐し、第１流路７３を通った冷却風が光源７１Ａを冷却した後、再度合流して排気ダクト８２へと繋がっている。そのため、光源７１Ａを冷却した後ランプ７１の外部に排気された冷却風を、排気ダクト８２に向かう冷却風の流れ（矢印α２）により効率よく排気ダクト８２へ流すことができるとともに、ランプ７１からの冷却風の排出（矢印α１）が促進される。その結果、光源７１Ａを冷却することにより加熱された冷却風が効率よくランプ７１の外部へと排出されるため、ランプ７１の冷却効率が向上する。
【００２６】
上記特徴を有することにより、本実施の形態におけるプロジェクタ１は、以下のような優れた効果を奏する。すなわち、ランプ７１の冷却効率が向上しているため、輝度が高く、発熱量が大きい光源を採用することができる。そのため、プロジェクタ１は、より高輝度のプロジェクタとすることができる。一方、従来と同等の輝度を有し、従来と同等の発熱量であるランプ７１を採用すれば、排気ファン８４の回転数を低減することができる。そのため、プロジェクタ１は、静粛性に優れたプロジェクタとすることができる。さらに、プロジェクタ１は、上述のように、ランプハウス７２から排気ダクト８２への冷却風の排気方向と、排気ファン８４による外部への冷却風の排気方向とが異なっており、ランプ７１からプロジェクタ１の外部へ向かう冷却風の流路が屈曲している。このような場合でも、ランプ７１の冷却効率が高いため、ランプ７１を十分に冷却することができる。つまり、本実施の形態におけるプロジェクタ１は、ランプ７１と排気ファン８４との配置関係など、設計の自由度が向上したプロジェクタとなっている。
【００２７】
なお、上記実施の形態においては、本発明のプロジェクタの構造の一例を説明したが、本発明のプロジェクタはこれに限られず、ランプの冷却効率向上が求められる種々の構造のプロジェクタ、たとえば液晶プロジェクタ等のプロジェクタにも採用することができる。
【００２８】
今回開示された実施の形態はすべての点で例示であって、制限的なものではないと考えられるべきである。本発明の範囲は上記した説明ではなくて特許請求の範囲によって示され、特許請求の範囲と均等の意味、および範囲内でのすべての変更が含まれることが意図される。
【産業上の利用可能性】
【００２９】
本発明のプロジェクタは、ランプの冷却効率の向上が要求されるプロジェクタに、特に有利に適用され得る。
【符号の説明】
【００３０】
１  プロジェクタ、２  筐体、３  投射レンズ、４  吸気口、５  排気口、６  吸気ファン、７  ランプユニット、８  ロッドインテグレータレンズ、９  コンデンサレンズ、１０  リレーレンズ、１１  ミラー、１２  映像チップ、１３  ヒートパイプ、７１  ランプ、７１Ａ  光源、７１Ｂ  リフレクタ、７１Ｄ  ランプ排気口、７２  ランプハウス、７２Ｃ  ＵＶガラス、７３  第１流路、７４，８５，８６  開口部、７６  第２流路、８１  送風ダクト、８２  排気ダクト、８３  排気室、８４  排気ファン。
【図１】
2010217284.tif 000003
【図２】
2010217284.tif 000004
【図３】
2010217284.tif 000005
【図４】
2010217284.tif 000006
【図５】
2010217284.tif 000007